(57)【要約】      （修正有）【課題】折り曲げが容易であって段ボール箱への組み立てが容易であるとともに、使用後の段ボール箱を解体して１枚の段ボールシートにすることも容易な段ボールシートを提供する。【解決手段】段ボールシート１０は、段ボールシート１０の厚みの１倍〜２倍の長さの間隔をおいて、中辺２７ａの長さが厚みの２倍〜２０倍、両端辺２７ｂの長さが厚みの１倍〜２倍のコの字状の切込部２７が複数、直線状に並ぶように配置されている折り曲げ構造を有する。この部分はミシン目のようになっており、折り曲げが容易である。また、そこで段ボールシート１０を折り曲げたとき、コの字状の切込部２７が折り曲げた段ボールシート１０の戻りを防止するため、垂直な折り曲げ状態が維持され、箱への組み立てが容易である。さらに、折り曲げ構造の部分がミシン目状であるため、容易に手等で切断され、段ボール箱を解体して１枚の段ボールシート１０にすることも容易となる。【選択図】図１
0003193456.tif 000002
【実用新案登録請求の範囲】
【請求項１】
段ボールシートの折り曲げ構造であって、該段ボールシートの厚みの1倍〜2倍の長さの間隔をおいて、中辺の長さが該厚みの2倍〜20倍、両端辺の長さが該厚みの1倍〜2倍のコの字状の切込部が複数、直線状に並ぶように配置されていることを特徴とする段ボールシートの折り曲げ構造。
【請求項２】
３本の平行な第１〜第３の境界線を介して連設された第１〜第４の側面部と、
前記第１側面部に、前記第１〜第３の境界線と平行な第４の境界線を介して延設された糊しろ部と、
を有する段ボールシートであって、
前記第１〜第４の境界線の少なくとも1つの境界線に、請求項１に記載の折り曲げ構造を有することを特徴とする段ボールシート。
【請求項３】
第１〜第４の境界線で折り曲げられた第１〜第４の側面部から成る四角筒状の本体を有する段ボール箱であって、
前記第１〜第４の境界線の少なくとも1つの境界線に、請求項１に記載の折り曲げ構造を有することを特徴とする段ボール箱。
【請求項４】
前記折り曲げ構造を有する境界線は、前記第４の境界線を含むことを特徴とする請求項３に記載の段ボール箱。
【請求項５】
前記第１〜第４の側面部のうちの1つの側面部の両側の境界線に、請求項１に記載の折り曲げ構造を有することを特徴とする段ボール箱。
【請求項６】
さらに、前記第１〜第４の側面部によって四角筒状の本体を形成したときに一方の開口の対向する一対の側面部の各々の開口側端から延設された内側フラップと、前記一対の側面部とは別の一対の側面部の各々の開口側端から延設された、矩形状の基礎部と、該基礎部からさらに、隣接する側面部のいずれか一方寄りに延設された、貫通孔を有するハンドル部とから成る外側フラップを有することを特徴とする請求項２に記載の段ボールシート。
【請求項７】
前記内側フラップと前記外側フラップを、前記四角筒状の本体の両側の開口に有することを特徴とする請求項６に記載の段ボールシート。
【請求項８】
請求項２、６又は７のいずれかに記載の段ボールシートから形成される段ボール箱。
【考案の詳細な説明】
【技術分野】
【０００１】
本考案は、段ボールシートの折り曲げ構造、及び段ボール箱に関する。
【背景技術】
【０００２】
従来より、商品等の梱包のために使用される段ボール箱は、波板と平板を貼り合わせた段ボール（特に、両面段ボール）を商品等の形状に合った寸法に裁断した段ボールシート（ブランクシート）から組み立てられる。
例えば、図７(a)に示す段ボールシートは消火器を梱包する段ボール箱を形成するためのものであるが、4つの連設された側面部７２、７３、７４、７５と、その一端側に延設された糊しろ部７６と、それぞれの側面部７２、７３、７４、７５の両側に延設された一対のフラップ７７ａ〜７７ｄ、７８ａ〜７８ｄとから成り、以下の過程を経て組み立てられる（特許文献１）。
【０００３】
まず、被梱包物（消火器）を第２側面部７３に載置し、境界線８１〜８３を折り曲げて第１〜第４の側面部７２〜７５で四角筒状の本体を形成し、被梱包物を包む。それから、境界線８４で糊しろ部７６を垂直に折り曲げ、第４側面部７５に接着する。最後に、フラップ境界線８５、８６において、最初に内側フラップ７７ａ、７７ｃ及び７８ａ、７８ｃを折り込み、次に外側のフラップ７７ｂ、７７ｄ及び７８ｂ、７８ｄを折り込んで、外側のフラップ７７ｂ、７７ｄ及び７８ｂ、７８ｄを内側のフラップ７７ａ、７７ｃ及び７８ａ、７８ｃに接着する（図７(b)参照）。
【０００４】
特許文献１には、また、段ボールシートから段ボール箱を製造する過程で糊しろ部７６の折り曲げ状態が垂直に維持されるように、第１側面部７２と糊しろ部７６の境界線８４上に、コの字状の切り込みを複数入れることが記載されている。
【先行技術文献】
【特許文献】
【０００５】
【特許文献１】特開2011-098748号公報
【考案の概要】
【考案が解決しようとする課題】
【０００６】
段ボール箱は被梱包物を外部からの衝撃等から保護する役割を有するため、その衝撃等によって箱が容易に壊れないように、接着は強固になされている。特に被梱包物が消火器等の重量のある物の場合、段ボール箱を持ち上げた時に底が抜けると、段ボール箱から落下した重い被梱包物によって段ボール箱を持ち上げた人や周りにいる人が怪我をする危険があるため、接着はより強固にしておく必要がある。
一方、一般に梱包材として段ボールを用いる大きな理由は、それがリサイクル可能であることである。従って、被梱包物を取り出した後の段ボール箱は、それを解体して1枚の段ボールシートに戻し、リサイクルを容易にする必要がある。しかし、上記のように接着が強固になると、接着を剥がすのに困難を伴うようになる。
【０００７】
本考案が解決しようとする課題は、折り曲げが容易であって段ボール箱への組み立てが容易であるとともに、使用後の段ボール箱を解体して1枚の段ボールシートにすることも容易な段ボールシートを提供することである。
【課題を解決するための手段】
【０００８】
上記課題を解決するために成された本考案は、
段ボールシートの折り曲げ構造であって、該段ボールシートの厚みの1倍〜2倍の長さの間隔をおいて、中辺の長さが該厚みの2倍〜20倍、両端辺の長さが該厚みの1倍〜2倍のコの字状の切込部が複数、直線状に並ぶように配置されていることを特徴とする。
【０００９】
本考案に係る段ボールシートの折り曲げ構造では、複数の切込部（のコの字状の切り込みの中辺）とそれらの間の部分（以下、これを「間隔部」と呼ぶ）がミシン目のようになっているため、段ボールシートをそこで容易に折り曲げることができる。
【００１０】
段ボールシートをこのように折り曲げると、段ボールシートは短い間隔部において容易に曲がる一方、切込部は曲がることなくそのまま直立し、垂直に折り曲げられた段ボールシートの部分がその直立した切込部に引っかかって、段ボールシートの折り曲げ状態をそのまま（垂直に）維持する。そのため、段ボールシートから段ボール箱への組み立てが容易となる。
【００１１】
また、このような折り曲げ構造を有する段ボールシートを用いて形成した段ボール箱を使用後に解体する場合、折り曲げ構造の部分が前述の通りミシン目のようになっているため、そこで容易に手等で切断することができる。そのため、段ボール箱を解体して1枚の段ボールシートにすることが容易となる。
【００１２】
上記課題を解決するために成された本考案に係る段ボールシートは、
３本の平行な第１〜第３の境界線を介して連設された第１〜第４の側面部と、
前記第１側面部に、前記第１〜第３の境界線と平行な第４の境界線を介して延設された糊しろ部と、
を有する段ボールシートであって、
前記第１〜第４の境界線の少なくとも1つの境界線に、前記折り曲げ構造を有することを特徴とする。
【００１３】
この段ボールシートにおいては、特に、第４の境界線に前記折り曲げ構造を設けることが望ましい。この構成では、この段ボールシートで段ボール箱を形成する際、前記糊しろ部が垂直に直立した状態が維持されるため、第４側面部との接合が容易となるためである。
【００１４】
本考案に係る段ボールシートの折り曲げ構造は、次のような段ボール箱に好適に利用することができる。
第１〜第４の境界線で折り曲げられた第１〜第４の側面部から成る四角筒状の本体を有する段ボール箱であって、
前記第１〜第４の境界線の少なくとも1つの境界線に前記折り曲げ構造を有することを特徴とする段ボール箱。
【００１５】
この段ボール箱において、前記折り曲げ構造が1つの境界線にのみ設けられている場合、この段ボール箱を解体して1枚の段ボールシートにする際には、折り曲げ構造を有する境界線で山折りとなるように段ボールの四角筒状の本体の全体を折り曲げる。すると、上方となった2つの側面部の境界線にある折り曲げ構造の部分が、曲げの内側となった下方の2つの側面部により両側に引っ張られ、その間隔部において容易に引きちぎられ、切断される。
【００１６】
また、前記段ボール箱において、1つの側面部の両側の境界線に前記折り曲げ構造を設けておくことが望ましい。これにより、この段ボール箱が不要となった際は、その側面部を引きちぎることにより、容易に段ボールシートに解体することができる。
【００１７】
前記段ボールシートは、さらに、前記第１〜第４の側面部によって四角筒状の本体を形成したときに一方の開口の対向する一対の側面部の各々の開口側端から延設された内側フラップと、前記一対の側面部とは別の一対の側面部の各々の開口側端から延設された、矩形状の基礎部と、該基礎部からさらに、隣接する側面部のいずれか一方寄りに延設された、貫通孔を有するハンドル部とから成る外側フラップを有することが望ましい。
【００１８】
このような構成を有する段ボールシートから段ボール箱を組み立てる際は、四角筒状の本体を組み立てた後、一方の開口においてまず一対の内側フラップを折り込み、次に一対の外側フラップをその上に折り込んで、外側フラップの基礎部において外側フラップの内側と内側フラップの外側を接着等により固定する（外側フラップと内側フラップをステープラー等により固定してもよい）。これにより、この段ボール箱はこの開口において確実に閉鎖される。
【００１９】
段ボール箱の中身（梱包物）を取り出す等のためにこの開口を開ける際は、外側フラップの貫通孔に指等を入れてハンドル部を持ち上げる。これにより、外側フラップは容易に内側フラップとの固定を外すことができる。従来はほぼ全面で固定された外側フラップと内側フラップの狭い隙間に指等を入れて外側フラップを引き剥がさねばならなかった（図７(b)参照）が、本考案に係るこのような開口部構造により、開口部を開くことが非常に容易となる。なお、このような開口部構造は、四角筒状の本体の一方の開口部のみに設けても良いし、両側の開口部に設けてもよい。また、このような開口部構造は、必ずしも上記折り曲げ構造と一緒に実施しなければならないものではなく、それぞれ独立に実施することが可能である。
【考案の効果】
【００２０】
本考案に係る段ボールシートの折り曲げ構造によると、段ボールシートの折り曲げが容易であるため、段ボール箱への組み立てが容易となる。また、使用後に段ボール箱を解体し1枚の段ボールシートにすることも容易となる。
【図面の簡単な説明】
【００２１】
【図１】本考案に係る段ボールシートの一実施例の概略図(a)、及び切込部の拡大図(b)。
【図２】同実施例の段ボールシートの糊しろ部を折り曲げたときの状態を示す図(a)、及びそのＸ−Ｘ断面図(b)。
【図３】同実施例の段ボールシートから形成した段ボール箱の斜視図(a)、及び外側フラップの開け方を示す図。
【図４】同実施例の段ボールシートから形成した段ボール箱の四角筒状の本体を、1枚の段ボールシートにする方法を示す図。
【図５】本考案に係る段ボールシートの別の実施例から形成した四角筒状の本体を示す概略図。
【図６】本考案に係る段ボールシートのさらに別の実施例の切込部の拡大図。
【図７】従来の段ボールシートの概略図(a)、及び該段ボールシートから形成した段ボール箱の斜視図(b)。
【考案を実施するための形態】
【００２２】
本考案に係る段ボールシートについて、図１及び図２を参照しながら説明する。
本実施例の段ボールシート１０は、消火器を梱包する段ボール箱を作製するためのもので、厚さ5 mmの両面段ボールから成る。
【００２３】
この段ボールシート１０は、図１(a)に示すように、第１〜第４の側面部１２〜１５が、３本の平行な第１〜第３の境界線２１〜２３を介して連設されており、さらに、第１側面部１２側に第４境界線２４を介して糊しろ部１６が延設されている。第１〜第４側面部１２〜１５の上下端には、それぞれ境界線２５、２６を介してフラップ１７ａ〜１７ｄ、１８ｂ〜１８ｄが延設されている。
【００２４】
本実施例に係る段ボールシートの第４境界線２４には、図１(b)に示すように、第４境界線２４に平行な約40 mmの直線状の中辺２７ａと、その両端の約5 mmの端辺２７ｂから成るコの字状の切込部２７が複数、直線状に並ぶように形成されている。切込部２７と切込部２７の間（間隔部）２９の距離は約10 mmである。
【００２５】
本実施例に係る段ボールシート１０の外側フラップ１７ｂ、１７ｄ、１８ｂ、１８ｄは、境界線２５、２６から延設された略矩形状の基礎部１９と、該基礎部１９からさらに右方にのみ延設されたハンドル部２０から成り、ハンドル部２０には貫通孔２８が設けられている。なお、ハンドル部２０は、基礎部１９から左方にのみ延設するようにしてもよい。
【００２６】
本実施例に係る段ボールシート１０は、消火器を梱包しつつ段ボール箱に組み立てられる。組み立ての過程は前述の従来のものとほぼ同様であるが、上下の開口部におけるフラップ１７ａ〜１７ｄ、１８ａ〜１８ｄの形状及び固定方法が従来のものとは異なる。すなわち、まず下側の開口部では、内側フラップ１８ａ及び１８ｃを折り込み、その後、外側フラップ１８ｂ及び１８ｄをその外側に折り込む。そして、外側フラップ１８ｂ及び１８ｄの基礎部１９のみを内側フラップ１８ａ及び１８ｃに接着する。上側の開口部も同様に、外側フラップ１７ｂ、１７ｄの基礎部１９のみにおいて内側フラップ１７ａ、１７ｃに接着する。これにより、段ボール箱の上下の開口部は図３(a)に示すように閉鎖される。
【００２７】
通常、段ボールシートの折り曲げ部には、折り曲げを容易にするために罫線が設けられている。しかし、本実施例に係る段ボールシート１０では、第１側面部１２と糊しろ部１６の境界線２４には切込部２７が短い間隔部２９を挟んで複数設けられ、ミシン目のようになっているため、罫線がなくてもその境界線２４において段ボールシート１０を容易に折り曲げることができる（図２(a)参照）。
【００２８】
第４境界線２４でこうして糊しろ部１６を折り曲げると、図２(a)に示すように、切込部２７は曲がることなくそのまま直立し、この下に、糊しろ部１６の、切込部２７から分離して折れ曲がった部分Ｓが入り込み、図２(b)に示すように、その部分の段ボールシート１０の折り曲げ状態が垂直に維持される。このように、糊しろ部１６を垂直に折り曲げた状態を維持できるため、糊しろ部１６を第４側面部１５に接着することが容易となる。
【００２９】
本実施例に係る段ボールシート１０から形成された段ボール箱を開けて、梱包されている消火器を取り出すときは、図３(b)に示すように、段ボール箱の上側の開口部の外側フラップ１７ｂ、１７ｄのハンドル部２０に設けられた孔２８に指を入れ、上方に引っ張って外側フラップ１７ｂ及び１７ｄを内側フラップ１７ａ及び１７ｃから引き剥がす。なお、図３(b)中の斜線部分は、接着が引き剥がされた部分を示す。
【００３０】
本実施例に係る段ボールシート１０から作製した段ボール箱では、こうして消火器を取り出した後、以下のようにこれを解体して、リサイクルのために1枚の段ボールシートにすることも容易である。
まず、先ほどの上側の開口部と同様に、下側の開口部の外側フラップ１８ｂ及び１８ｄを内側フラップ１８ａ及び１８ｃから剥がす。こうして両側の開口部を開けた後、第４境界線２４が中央に来るようにして、段ボール箱の四角筒状の本体を平らにする。そして、第４境界線２４（に形成されている折り曲げ部）で山折りとなるように全体を折り曲げる。そうすると、図４に示すように、上方にある第１側面部１２、第４側面部１５が両側に引っ張られ、間隔部２９が引きちぎられるように切断される。前述の通り、間隔部２９は切込部２７よりもずっと短いため、この第４境界線２４における切断は容易に行うことができる。
【００３１】
本考案に係る段ボールシートの別の実施例を説明する。図５は、この別の実施例である段ボールシート５０の4つの側面部５２〜５５を四角筒状に組み立てた状態を示す。この段ボールシート５０は、第４境界線６４に加え、第１境界線６１上にも複数の切込部２７から成る本考案に係る折り曲げ構造を備えている。
この構成の場合、第４境界線６４と第１境界線６１の間にある第１側面部５２の一端にあるフラップ５７ａ又は５８ｂを引っ張ることによって、第１側面部５２は両隣の側面部５３、５５から容易に分離され、段ボールシートとすることができる。
【００３２】
上記実施例の段ボールシートは本考案の一例であり、本考案の趣旨の範囲で適宜に変形や修正、追加が許容される。
上記折り曲げ構造は、上記実施例のように第４境界線や第１境界線上に限定されることはなく、第１〜第４の境界線全てに設けられていてもよい。さらに、上記折り曲げ構造は、フラップと側面部の境界線に設けられてもよい。この場合、フラップの折り込み及び糊付けが容易となる。また、段ボール箱を解体する際も、フラップは側面部から容易に切り離される。
なお、切込部のコの字の向きは全て同じである必要はなく、例えば、図６(a)に示すようにコの字の向きが交互になっていてもよい。また、複数のコの字状の切込部は、中辺が1本の線上にくるように配置されている必要はなく、例えば、図６(b)に示すように、コの字状の切込部が全体として境界線上に形成されていてもよい。
【符号の説明】
【００３３】
１０、５０…段ボールシート
１２〜１５、５２〜５５…側面部
１６…糊しろ部
１７ａ〜１７ｄ、１８ａ〜１８ｄ、５７ａ、５８ａ…フラップ
１９…基礎部
２０…ハンドル部
２１〜２６、６１、６４…境界線
２７…コの字状の切込部
２７ａ…中辺
２７ｂ…端辺
２８…貫通孔
２９…間隔部
【図１】
0003193456.tif 000003
【図２】
0003193456.tif 000004
【図３】
0003193456.tif 000005
【図４】
0003193456.tif 000006
【図５】
0003193456.tif 000007
【図６】
0003193456.tif 000008
【図７】
0003193456.tif 000009